(57)【要約】      （修正有）【課題】  飲料の原料等をキャップに収納し、飲料水等の液体と混合して飲用に供する飲料容器を提供する。【解決手段】  キャップが内外二重構造の内キャップと外キャップとで構成され、内キャップが瓶型容器の口部へ取り付けられ、外キャップは内キャップの外周面へ着脱可能にねじ込まれている。内キャップの天端壁に瓶型容器の中空部内と連通する通孔が形成されている。外キャップには容室を形成する隔壁が設けられ、隔壁に外キャップを回転すると連通する収容物振り出し孔が形成されている。内キャップの天端壁と外キャップの隔壁のいずれか一方又は双方に、通孔と振り出し孔とを隔絶する止水手段が設けられている。瓶型容器内に液体が収納され、容室内に原料等が収納されている。【選択図】図２
2005289416.tif 000002
【特許請求の範囲】
【請求項１】
瓶型容器のキャップが内外二重構造の内キャップと外キャップとの組合せで構成され、内キャップが瓶型容器の口部へ取り付けられ、外キャップは前記内キャップの外周面へ着脱可能にねじ込まれて成り、
内キャップの天端壁に瓶型容器の中空部内と連通する通孔が形成されており、
外キャップには、前記内キャップへねじ込んだ際の終点で内キャップの天端壁と密接する位置に容室を形成する隔壁が設けられ、この隔壁に内キャップの前記通孔と距離を隔てる位置に外キャップを回転すると連通する形状、大きさの収容物振り出し孔が形成されており、
内キャップの天端壁と外キャップの前記隔壁のいずれか一方又は双方に、前記通孔と振り出し孔とを水密的に隔絶する止水手段が設けられており、
瓶型容器内に飲料水等の液体が収納され、外キャップの前記隔壁で形成された容室内に前記液体と混合して目的の飲料を作る原料等が収納され、
外キャップを一定の回転角だけ緩め回して内キャップの通孔と外キャップの振り出し孔とを連通させ原料等を瓶型容器の液体中へ混入することを特徴とする、原料等をキャップに付属させた瓶型の飲料容器。
【請求項２】
外キャップの隔壁で形成された容室に収納された原料等は、不活性ガスの注入・充填により不活性雰囲気を保持して収納されていることを特徴とする、請求項１に記載した原料等をキャップに付属させた瓶型の飲料容器。
【請求項３】
内キャップは瓶型容器の口部外周のネジ部へねじ込まれており、内キャップが瓶型容器の口部外周のネジ部へねじ込まれた終点で、当該内キャップの先端面が突き当たる瓶型容器の首部と前記先端面のいずれか一方又は双方に内キャップの逆回転を止める不可逆回転手段が設けられていることを特徴とする、請求項１に記載した原料等をキャップに付属させた瓶型の飲料容器。
【請求項４】
通孔と収容物振り出し孔とを水密的に隔絶する止水手段は、内キャップの天端壁の上面と外キャップの隔壁の下面のいずれか一方又は双方に設けられた相互に嵌り合う凹凸条から成ることを特徴とする、請求項１に記載した原料等をキャップに付属させた瓶型の飲料容器。
【請求項５】
内キャップの天端壁に設けられた通孔の口縁部に同天端壁の上面側へ延び出す止水性の薄膜が形成され、外キャップの隔壁に設けられた収容物振り出し孔の口縁部にも同隔壁の下面側へ延び出す止水性の薄膜が形成されていることを特徴とする、請求項１に記載した原料等をキャップに付属させた瓶型の飲料容器。
【発明の詳細な説明】
【技術分野】
【０００１】
この発明は、お茶、コーヒー類、乳製品、水類で飲む薬品類、果汁等のジュース類、水類で飲むビタミン剤その他の健康食品類、或いは水割りウイスキー、水割り・お湯割り焼酎などのアルコール類などの各飲料を提供する瓶型飲料容器の技術分野に属し、更に言えば、飲料水やお湯などの液体収納する容器本体のほかに、粉状の茶葉、粉コーヒー、粉乳・粉ミルク等、或いは粉状・粒状・顆粒状の薬品類、所謂ジュースの素、ビタミン剤の機能性飲料素材など、そして、液状のコーヒー・紅茶などの濃縮液、液状のミルクやウイスキー、焼酎などの原酒など、所謂飲料の原料、添加物、風味料など（以下、これを原料等と総称する。）を液体若しくは固形体（粒状、ブロック状など）又は粉体の別を問わずキャップに収納して、必要に応じて原料等を飲料水等の液体と混合して飲用に供する飲料容器に関する。
【背景技術】
【０００２】
現今は街角の自動販売機、市中のコンビニエンスストア、駅の売店などで、お茶、コーヒー類、乳製品、果汁等のジュース類、或いは水割りウイスキー、水割り・お湯割り焼酎の如きアルコール類などの飲料が多種多様に販売され、広く飲用に供されている。容器の形態も、ペットボトルに代表される瓶形状、又は缶コーヒーに代表される缶形状、或いは牛乳パックなどの箱形状など多様である。
従来、必要に応じて原料等を飲料水等の液体と混合して目的の飲料と成し飲用に供する飲料容器又は飲料も種々開発されている。
【０００３】
例えば瓶型で、原料等をキャップに収納する飲料容器に限って見ても、特許文献１に記載された飲料用容器は、瓶型容器の口部の口縁部内に粉体密封容器がセットされ、キャップはその中間壁から一方向に向けて突き出る突起を備え、当初は突起を下向きとした態様でキャップを瓶型容器の口部へねじ込む。使用時には先ずキャップを緩めて外し、次には突起を下向きにした態様で再び口部へねじ込んでゆく。すると、キャップの突起が粉体密封容器を突き破るに至り、粉体を瓶容器内の飲料水中へ落下させる。この状態で瓶を良く振って、飲料水と粉体を混合させる。その後、キャップを緩めて外し、粉体密封容器の残骸を取り除いて中身を飲用する。
【０００４】
特許文献２に記載された飲料用容器は、瓶型容器の口部の口縁部内に粉体密封容器がセットされ、キャップはその天端壁から下向きの突起を備え、該キャップはその下端へ延長状態に付設したカラー部材と共に瓶型容器の口部へ嵌め込み、その外周をシール部材で被覆する。使用時には先ずシール部材を剥がし、次にキャップを強く押し下げてカラー部材を破壊し離脱させつつねじ込んでゆく。すると、キャップの突起が粉体密封容器を突き破るに至り、粉体を瓶容器内の飲料水中へ落下させる。この状態で瓶を良く振って、飲料水と粉体を混合させる。その後キャップを緩めて外し、粉体密封容器の残骸を取り除いて中身を飲用する。
【０００５】
特許文献３に記載された飲料容器は、瓶型容器の口部内側の低部にその開口を遮断する仕切り膜を設けて、該仕切り膜より上方部分を粉体収納部とする。キャップには下向きの突起を設けてあり、使用時には、先ずキャップを強くねじ込んでゆき、その突起で仕切り膜を突き破り、粉体を瓶容器内の飲料水中へ落下させる。この状態で瓶を良く振って飲料水と粉体を混合させる。その後、キャップを緩めて外し、中身を飲用する。
【０００６】
特許文献４に記載された飲料容器は、キャップに、瓶型容器の口部内へ長く延びる円筒形状の原料容室を設け、同容室に原料を収納させ、粘着性又は融着による蓋で封入した構成である。使用時には、先ずキャップを緩めて外し、抜き出した原料容室の蓋を剥がし、収納した原料を瓶容器内の飲料水中へ落下させるようにして再びキャップを瓶型容器の口部へ取り付ける。この状態で瓶容器を良く振って飲料水と原料を混合させる。その後、キャップを緩めて、外し中身を飲用する。
【０００７】
【特許文献１】特開２００３−８１３５７号公報
【特許文献２】特開２００３−７２８２２号公報
【特許文献３】特開２００３−３４３６７号公報
【特許文献４】特開２００２−１１４２５９号公報
【発明の開示】
【発明が解決しようとする課題】
【０００８】
上述したように、従来から原料等を分離してキャップに付属させ、飲用に際して原料等を飲料水等の液体と混合して飲用に供する飲料容器は種々開発、提案されている。
しかし、従来の例えば特許文献１に記載された飲料用容器は、キャップが中間壁を中心として上下に長く、約２倍の大きさで形成され、異様に背の高いキャップとなるほか、当初は突起を上向きにした態様で瓶型容器の口部へねじ込み、使用時には同キャップを緩めて一旦外し、次いで突起が下向きとなる態様で再び口部へねじ込んでゆき、同突起で粉体密封容器を突き破り粉体を飲料水へ落下させた後、瓶を良く振って飲料水と粉体を混合させる。その後再度キャップを緩めて外し、中身を飲用するので、需要者にとって甚だ面倒な手順と使用態様を要求することになる。また、飲用に際しては粉体密封容器の残骸を口部から除去する必要があり、同残骸がゴミとなって散乱する虞もある。
【０００９】
特許文献２に記載された飲料用容器も、キャップはその下端へ延長状態に付設したカラー部材と共に瓶型容器の口部へ嵌め込まれるので、やはり外見上は異様に背の高い姿となる。また、外周をシール部材で被覆するなど、包装が複雑である。使用時には先ずシール部材を剥がし、次にキャップを強く押し下げてカラー部材を破壊し離脱させねばならないが、非使用時に誤ってカラー部材を破壊し離脱させる事故の虞もある。離脱したカラー部材はゴミとして散乱する虞があるほか、キャップを緩めて外した後に粉体密封容器の残骸を取り除いて中身を飲用するので、粉体密封容器の残骸もゴミとして散乱する虞がある。
【００１０】
特許文献３に記載された飲料用容器は、瓶型容器の口部内側の低部にその開口を遮断する仕切り膜を設ける加工が難しく面倒である。また、使用に際しては、突起で仕切り膜を突き破り、粉体を瓶容器内の飲料水中へ落下させ飲料水と混合して中身を飲用するが、その際、口部内側の低部に飲料水の圧力で剥がれないようにがっちり取り付けた仕切り膜を取り除く処理が必要で、その処理が需要者にとって甚だ面倒で困難である。
【００１１】
特許文献４に記載された飲料容器は、一案であるが、キャップの内側に、瓶型容器の口部内側へ長く延びる円筒形状の原料容室を粘着性又は融着の蓋で封入した構成は、瓶型容器内の飲料水中へ浸かって蓋が剥がれる事故のおそれが大きいと認められる。
【００１２】
この発明の目的は、キャップの構造が比較的簡単で製作、組み立てが容易であり、使用の安全性、安定性に富み、中身を飲用するための手順、操作も割合簡単であるし、粉体容器の残骸の如きゴミの発生もない、原料等をキャップに付属させた瓶型の飲料容器を提供することである。
本発明の次の目的は、中身の飲料がお茶、コーヒー、乳製品、果汁等のジュース類、アルコール類等の別を問わず実施でき、また、それらの原料、添加物等が液体又は粉体、固形体、顆粒状であるかの別を問わず容易に安全に実施可能な飲料容器を提供することである。
【課題を解決するための手段】
【００１３】
上述した従来技術の課題を解決するための手段として、請求項１に記載した発明に係る原料等をキャップに付属させた瓶型の飲料容器は、
瓶型容器１のキャップが内外二重構造の内キャップ２と外キャップ３との組合せで構成され、内キャップ２が瓶型容器１の口部４へ取り付けられ、外キャップ３は前記内キャップ２の外周面へ着脱可能にねじ込まれて成り、
内キャップ２の天端壁２ｂに瓶型容器１の中空部内と連通する通孔５が形成されており、
外キャップ３には前記内キャップ２へねじ込んだ際の終点で内キャップ２の天端壁２ｂと密接する位置に容室６を形成する隔壁３ａが設けられ、この隔壁３ａに内キャップ２の前記通孔５と距離を隔てる位置に外キャップ３を回転すると連通する形状、大きさの収容物振り出し孔７が形成されており、
内キャップ２の天端壁２ｂと外キャップ３の前記隔壁３ａのいずれか一方又は双方に、前記通孔５と振り出し孔７とを水密的に隔絶する止水手段８が設けられており、
瓶型容器１内に飲料水等の液体１０が収納され、外キャップ３の前記隔壁３ａで形成された容室６内に前記液体１０と混合して目的の飲料を作る原料等１１が収納され、
外キャップ３を一定の回転角だけ緩め回して内キャップ２の通孔５と外キャップ３の振り出し孔７とを連通させ原料等１１を瓶型容器１内の液体１０中へ混入することを特徴とする。
【００１４】
請求項２に記載した発明は、請求項１に記載した原料等をキャップに付属させた瓶型の飲料容器において、
外キャップ３の隔壁３ａで形成された容室６内に収納された原料等１１は、不活性ガスの注入・充填により不活性雰囲気を保持して収納されていることを特徴とする。
【００１５】
請求項３に記載した発明は、請求項１に記載した原料等をキャップに付属させた瓶型の飲料容器において、
内キャップ２は瓶型容器１の口部４の外周のネジ部４ａへねじ込まれており、内キャップ２が瓶型容器１の口部４の外周のネジ部４ａへねじ込まれた終点で、当該内キャップ２の先端面２ｃが突き当たる瓶型容器１の首部９と前記先端面２ｃのいずれか一方又は双方に内キャップ２の逆回転を止める不可逆回転手段１２が設けられていることを特徴とする。
【００１６】
請求項４に記載した発明は、請求項１に記載した原料等をキャップに付属させた瓶型の飲料容器において、
通孔５と収容物振り出し孔７とを水密的に隔絶する止水手段８は、内キャップ２の天端壁２ｂの上面と外キャップ３の隔壁３ａの下面のいずれか一方又は双方に設けられた相互に嵌り合う凹凸条８ａ、８ｂであることを特徴とする。
【００１７】
請求項５に記載した発明は、請求項１に記載した原料等をキャップに付属させた瓶型の飲料容器において、
内キャップ２の天端壁２ｂに設けられた通孔５の口縁部に同天端壁の上面側へ延び出す止水性の薄膜が形成され、外キャップ３の隔壁３ａに設けられた収容物振り出し孔７の口縁部にも同隔壁３ａの下面側へ延び出す止水性の薄膜が形成されていることを特徴とする。
【発明の効果】
【００１８】
請求項１〜５に記載した発明に係る瓶型の飲料容器は、キャップが内外二重構造の内キャップ２と外キャップ３との組合せで構成されているが、内キャップ２の天端壁２ｂに通孔５が形成され、外キャップ３の隔壁３ａに前記通孔５と連通する形状、大きさの収容物振り出し孔７が形成された簡単な構成であり、製作および組み立てが簡単である。
また、内キャップ２が瓶型容器１の口部４へ取り付けられ、外キャップ３は前記内キャップ２の外周面へ着脱可能にねじ込まれて成り、瓶型容器１内に飲料水等の液体１０が収納され、外キャップ３の前記隔壁３ａで形成された容室６に目的の飲料を作る原料等１１が収納されて成り、外キャップ３を緩め回して内キャップ２の通孔５と外キャップ３の振り出し孔７とを連通させると原料等１１を瓶型容器１の液体１０中へ混入できるので、需要者にとって使用手順と操作が至極簡単、単純であり、使い勝手に優れる。しかも、使用済みの粉体容器残骸などを発生しないから、環境にも優しい。
【発明を実施するための最良の形態】
【００１９】
瓶型容器１のキャップを内外二重構造の内キャップ２と外キャップ３との組合せで構成する。内キャップ２を瓶型容器１の口部４へ取り付け、外キャップ３は前記内キャップ２の外周面のネジ部２ａへ着脱可能にねじ込まれる。内キャップ２の天端壁２ｂに、瓶型容器１の中空部内と連通する通孔５を形成する。外キャップ３には、前記内キャップ２へねじ込んだ際に同内キャップ２の天端壁２ｂと密接する位置に、容室６を形成する隔壁３ａを設ける。この隔壁３ａには内キャップ２の前記通孔５と距離を隔てる位置に、外キャップ３を回転すると連通する形状、大きさの収容物振り出し孔７を形成する。内キャップ２の天端壁２ｂと外キャップ３の前記隔壁３ａのいずれか一方又は双方に、前記通孔５と振り出し孔７とを水密的に隔絶する止水手段８を設ける。
瓶型容器１内に飲料水等の液体１０が収納され、外キャップ３の前記隔壁３ａで形成された容室６に前記液体１０と混合して目的の飲料を作る原料等１１が収納される。外キャップ３を一定の回転角だけ緩め回して内キャップ２の通孔５と外キャップ３の振り出し孔７とを連通させ原料等１１を瓶型容器１の液体１０中へ混入させ飲用に供する。
【実施例１】
【００２０】
以下に、請求項１〜５に記載した発明に係る、原料等をキャップに付属させた瓶型飲料容器の実施例を、図面に基いて説明する。
図１と図２は、瓶型飲料容器１の姿図と、キャップ部分の構造詳細を示す。図３は内外二重構造の内キャップ２と外キャップ３の組合せを示している。
内キャップ２は、瓶型容器１の口部４の外周面に形成したネジ４ａへねじ込んで取り付けられている。外キャップ３は、前記内キャップ２の外周面に形成したネジ２ａへねじ込んで取り付けられている。但し、口部４の外周面に形成したネジ４ａと、内キャップ２の外周面に形成したネジ２ａとは、螺旋の向きが正反対の逆ネジとして形成され、内キャップ２を瓶型容器１の口部４へねじ込む回転方向と、外キャップ３を内キャップ２の外周面へねじ込む回転方向とは正反対として、内外二重構造の内キャップ２と外キャップ３が共回りしてねじ込まれたり緩め戻されることのない構成としている。
【００２１】
のみならず、使用上の便宜を考慮して、図示した実施例の場合には、図２と図４に示したように、内キャップ２が瓶型容器１の口部外周のネジ部４ａへねじ込まれた終点で、当該内キャップ２の先端面２ｃが突き当たる瓶型容器の首部９に、共通方向に鋸波状に傾きが異なる所謂ラチェット歯１２ｂが形成されている。他方、内キャップ２の先端面２ｃには、前記ラチェット歯１２ｂと噛み合う突起１２ａが設けられている。従って、内キャップ２が瓶型容器１の口部４のネジ部４ａへねじ込まれた終点では、前記突起１２ａがラチェット歯１２ｂと噛み合って内キャップ２の逆回転（緩む回転）を止める、いわゆる不可逆回転手段１２が構成されている（請求項３に記載した発明）。
【００２２】
もっとも不可逆回転手段１２としては、上記のラチェット歯機構に限らない。内キャップ２の先端面２ｃを瓶型容器１の首部９と接着したり融着する方法を実施することもできる。従って、内キャップ２は、瓶型容器１の口部へネジ部４ａでねじ込まれる構成にも限らない。
【００２３】
上記内キャップ２の天端壁２ｂには、瓶型容器１の中空部内と連通する通孔５が図示例の場合は半月形状に形成されている。この通孔５は、需要者が中身を飲用する際に中身の通路ともなる。
他方、外キャップ３には、図２のように内キャップ２へねじ込んだ際に内キャップの天端壁２ｂと密接する位置に、容室６を形成する隔壁３ａが設けられている。この隔壁３ａに、当該外キャップ３が内キャップ２の外周面のネジ部２ａへねじ込まれた終点で、丁度図５のように約１８０°対称に隔てる位置となるように、内キャップ２の前記通孔５と連通する形状、大きさの半月形状（但し、両孔５と７は連通する関係であれば足り、同形、同大の半月形状に限らない。）に、収容物振り出し孔７が形成されている。そして、内キャップ２の天端壁２ｂの上面と、外キャップ３の前記隔壁３ａの下面のいずれか一方又は双方に、前記通孔５と振り出し孔７とを水密的に隔絶する止水手段８が設けられている。瓶型容器１内に収容された液体１０が不用意に、容室６内に収容された原料等１１まで浸み込む事故を未然に防止する為である。
【００２４】
通孔５と振り出し孔７とを水密的に隔絶する止水手段８の位置は、具体的には図５に平面的配置を示したように、通孔５の領域と振り出し孔７の領域とが円周を二分するように設けられる。また、止水手段８の具体的構造として図６Ａ、Ｂに拡大し少し誇張して示した実施例は、内キャップ２の天端壁２ｂの上面に形成されたＶ字形又は半円形状の凹溝条８ａと、外キャップ３の隔壁３ａの下面に前記凹溝条８ａへぴったり嵌り込むように形成されたＶ字形状又は半円形状の凸条８ｂとで構成されている。当然のことながら、これらの凹凸条８ａと８ｂは、外キャップ３を内キャップ２のネジ部２ａへねじ込んだ終点で、外キャップ３の隔壁３ａが内キャップ２の天端壁２ｂへぴったり密接するのと同時に、ぴったり嵌り合う関係の構成で設けられている（請求項４に記載した発明）。
【００２５】
更に念の為の止水手段として、具体的に図示することは省略したが、内キャップ２の天端壁２ｂに設けられた通孔５の口縁部に、同天端壁２ｂの上面側へ延び出す止水性の薄膜が髭のように形成され、外キャップ３の隔壁３ａに設けられた収容物振り出し孔７の口縁部にも、同隔壁３ａの下面側へ延び出す止水性の薄膜が髭のように形成されることが好ましい（請求項５に記載した発明）。
【００２６】
本発明の場合、瓶型容器１内に飲料水等の液体１０が収納され、外キャップ３の上記隔壁３ａで仕切ることにより形成された容室６内に、前記液体１０と混合して目的の飲料を作る原料等１１が収納される。外キャップ３の隔壁３ａで形成された容室６内に収納された原料等１１は、その品質、性能が長期間保持されるように、不活性ガスの注入・充填により不活性雰囲気を保持して収納することが好ましい（請求項２に記載した発明）。
不活性ガス（窒素ガス、ヘリウムガス、アルゴンガス、二酸化炭素、亜酸化窒素など）は、原料等１１の品質、鮮度、風味などを長期にわたり安全に保ち、温度差による圧力変化も少ない。粉状の原料等３は、少し圧力を加えた不活性ガスと共に容室６内へ混合状体で収納させ、高圧状態に充填する方法も実施できる。不活性ガスは空気よりも質量が大きく自然放出が少ないので、外キャップ３を倒立させた状態で、容室６内へ原料等１１と共に不活性ガスを注入・充填し、そのまま内キャップ２と結合する手順で容易に目的が達成される。
【００２７】
上記構成の瓶型容器１の使用法としては、静止状態を保つ内キャップ２に対して外キャップ３を約１８０°だけ緩め回して、内キャップ２の通孔５と外キャップ３の振り出し孔７とを連通させる。すると原料等１１は瓶型容器１内の液体１０中へ落下してゆき混入できる。そこで瓶を良く振って原料等１１を液体１０と混合攪拌する。しかる後に、外キャップ３を緩めて外し、内キャップ２の通孔５を通じて中身を飲用する。
【実施例２】
【００２８】
図７は、内キャップ２の天端壁２ｂに１個の通孔５を設けているが、外キャップ３には上記隔壁３ａから垂直に立ち上がる垂直隔壁３ｂを設けて二つの独立した容室６ａと６ｂを形成し、各容室６ａ、６ｂの直下の隔壁３ａに１個ずつ合計２個の収容物振り出し用孔７ａ、７ｂを設けた実施例を示している。
２個の収容物振り出し用孔７ａ、７ｂは、内キャップ２の天端壁２ｂの通孔５に対し、当該外キャップ３を内キャップ２のネジ部２ａへねじ込んだ終点で、丁度図７のように回転角にして約９０°隔てる位置となるように設けられている。したがって、１個の通孔５と２個の収容物振り出し用孔７ａ、７ｂとは、静止状態を保つ内キャップ２に対し、外キャップ３を約９０°回すと確実に連通するのであり、そのように各孔の位置と形状、大きさが設計されている。止水手段８は、前記３個の孔５及び７ａ、７ｂの各領域を区分する約１２０°の放射状配置に設けられている。
【実施例３】
【００２９】
図８は、内キャップ２の天端壁２ｂに２個の通孔５ａと５ｂを１８０°対称な配置に設け、外キャップ３にも上記垂直隔壁３ｂにより隔てられ独立した二つの容室の直下の隔壁に１個ずつ合計２個の収容物振り出し用孔７ａ、７ｂをやはり２個設けた実施例を示している。
本実施例の場合にも、内キャップ２の２個の通孔５ａと５ｂと、外キャップ３の２個の収容物振り出し用孔７ａ、７ｂの関係は、上記の各実施例と同様に、外キャップ３を内キャップ２のネジ部２ａへねじ込んだ終点で、丁度図８のように回転角にして約９０°隔てる位置に設けられている。
本実施例で、内キャップ２の天端壁２ｂに２個の通孔５ａと５ｂを１８０°対称な配置に設けた理由は、需要者が飲用に際して、中身を通孔５ａ又は５ｂを通じて飲む際に、いずれか一方の通孔が空気孔となって飲み易くする目的による。
【図面の簡単な説明】
【００３０】
【図１】本発明に係る飲料容器の立面図である。
【図２】同上飲料容器のキャップ部分を破断し少し拡大して示した断面図である。
【図３】内キャップと外キャップを分離して示した断面図である。
【図４】瓶型容器の上半部を示した斜視図である。
【図５】外キャップの孔および内キャップの孔の関係を平面的に並べて示した説明図である。
【図６】ＡとＢは止水手段の異なる構成例を示した断面図である。
【図７】外キャップの孔および内キャップの孔の関係の異なる実施例を平面的に示した説明図である。
【図８】外キャップの孔および内キャップの孔の関係の異なる実施例を平面的に並べて示した説明図である。
【符号の説明】
【００３１】
１                瓶型容器
２                内キャップ
３                外キャップ
４                瓶型容器の口部
５、５ａ、５ｂ    通孔
２ａ              天端壁
６                容室
３ａ              隔壁
７、７ａ、７ｂ    収容物振り出し孔
１０              液体
１１              原料等
４ａ              口部のネジ部
２ｃ              内キャップの先端面
９                瓶型容器の首部
１２              不可逆回転手段
８                止水手段
８ａ              凹溝条
８ｂ              凸条
【図１】
2005289416.tif 000003
【図２】
2005289416.tif 000004
【図３】
2005289416.tif 000005
【図４】
2005289416.tif 000006
【図５】
2005289416.tif 000007
【図６】
2005289416.tif 000008
【図７】
2005289416.tif 000009
【図８】
2005289416.tif 000010